(57)【要約】【課題】擁壁形成作業に熟練者を必要とせず、短期間で施工作業を完了することができ、擁壁形成に要する施工費用を低減すること。【解決手段】本発明では、基礎ブロック（３）とその上部に積み上げる立上りブロック（４）とから擁壁形成用ブロック（１）を構成し、基礎ブロック（３）は、内部にコンクリートを充填するための中空部（５）を形成するとともに、上部に立上りブロック（４）を載置するための載置部（７）を形成し、載置部（７）に中空部（５）へ通じる連通孔（８）を形成し、立上りブロック（４）は、内部にコンクリートを充填するための中空部（１６）を形成するとともに、上部に中空部（１６）へ通じる開口（１７）を形成し、下部に基礎ブロック（３）の連通孔（８）に通じる開口（１８）を形成することにした。【選択図】図１
2010059778.tif 000002
【特許請求の範囲】
【請求項１】
基礎ブロックとその上部に積み上げる立上りブロックとからなる擁壁形成用ブロックであって、
基礎ブロックは、内部にコンクリートを充填するための中空部を形成するとともに、上部に立上りブロックを載置するための載置部を形成し、載置部に中空部へ通じる連通孔を形成し、
立上りブロックは、内部にコンクリートを充填するための中空部を形成するとともに、上部に中空部へ通じる開口を形成し、下部に基礎ブロックの連通孔に通じる開口を形成したことを特徴とする擁壁形成用ブロック。
【請求項２】
基礎ブロックは、載置部の後方に裏砕石を載置するために張り出した張出部を形成したことを特徴とする請求項１に記載の擁壁形成用ブロック。
【請求項３】
基礎ブロックは、載置部の後方に基礎ブロックの裏側下端部を支持する支持体を形成したことを特徴とする請求項１又は請求項２に記載の擁壁形成用ブロック。
【請求項４】
基礎ブロックとその上部に積み上げる立上りブロックとからなる擁壁形成用ブロックを用いた擁壁形成工法であって、
基礎ブロックは、内部にコンクリートを充填するための中空部を形成するとともに、上部に立上りブロックを載置するための載置部を形成し、載置部に中空部へ通じる連通孔を形成しており、
立上りブロックは、内部にコンクリートを充填するための中空部を形成するとともに、上部に中空部へ通じる開口を形成し、下部に基礎ブロックの連通孔に通じる開口を形成しており、
基礎ブロックの上部に立上りブロックを積み上げた後に、立上りブロックの上部の開口からコンクリートを投入し、基礎ブロック及び立上りブロックの中空部にコンクリートを充填して擁壁を形成することを特徴とする擁壁形成工法。
【発明の詳細な説明】
【技術分野】
【０００１】
本発明は、擁壁形成用ブロック及び擁壁形成工法に関するものである。
【背景技術】
【０００２】
従来より、崖の法面においては、土砂崩れや岩盤崩落を防止するために、法面に擁壁を形成して法面の強度を強化している。この擁壁の形成においては、様々な工法が考案されているが、法面の前方に型枠を設置し、型枠間にコンクリートを打設硬化させて擁壁を形成する工法が広く行われてきている（たとえば、特許文献１参照。）。
【先行技術文献】
【特許文献】
【０００３】
【特許文献１】特開２００１−２４１０５５号公報
【発明の概要】
【発明が解決しようとする課題】
【０００４】
ところが、従来の擁壁の形成においては、熟練者による長期的な作業が必要であり、施工費用も高くなってしまうといった不具合があった。
【０００５】
そこで、本発明者は、これまでの擁壁形成の経験を活かし、鋭意研究を重ね、中空状の基礎ブロックとその上部に積み上げる中空状の立上りブロックとからなる擁壁形成用ブロックを用い、法面に擁壁形成用ブロックを設置した後に、擁壁形成用ブロックの内部にコンクリートを充填して擁壁を形成する新たな工法を本発明として創案した。
【課題を解決するための手段】
【０００６】
すなわち、請求項１に係る本発明では、基礎ブロックとその上部に積み上げる立上りブロックとからなる擁壁形成用ブロックであって、基礎ブロックは、内部にコンクリートを充填するための中空部を形成するとともに、上部に立上りブロックを載置するための載置部を形成し、載置部に中空部へ通じる連通孔を形成し、立上りブロックは、内部にコンクリートを充填するための中空部を形成するとともに、上部に中空部へ通じる開口を形成し、下部に基礎ブロックの連通孔に通じる開口を形成することにした。
【０００７】
また、請求項２に係る本発明では、前記請求項１に係る本発明において、基礎ブロックは、載置部の後方に裏砕石を載置するために張り出した張出部を形成することにした。
【０００８】
また、請求項３に係る本発明では、前記請求項１又は請求項２に係る本発明において、基礎ブロックは、載置部の後方に基礎ブロックの裏側下端部を支持する支持体を形成することにした。
【０００９】
また、請求項４に係る本発明では、基礎ブロックとその上部に積み上げる立上りブロックとからなる擁壁形成用ブロックを用いた擁壁形成工法であって、基礎ブロックは、内部にコンクリートを充填するための中空部を形成するとともに、上部に立上りブロックを載置するための載置部を形成し、載置部に中空部へ通じる連通孔を形成しており、立上りブロックは、内部にコンクリートを充填するための中空部を形成するとともに、上部に中空部へ通じる開口を形成し、下部に基礎ブロックの連通孔に通じる開口を形成しており、基礎ブロックの上部に立上りブロックを積み上げた後に、立上りブロックの上部の開口からコンクリートを投入し、基礎ブロック及び立上りブロックの中空部にコンクリートを充填して擁壁を形成することにした。
【発明の効果】
【００１０】
そして、本発明では、以下に記載する効果を奏する。
【００１１】
すなわち、本発明では、中空状の基礎ブロックとその上部に積み上げる中空状の立上りブロックとからなる擁壁形成用ブロックを用い、法面に擁壁形成用ブロックを設置した後に、擁壁形成用ブロックの内部にコンクリートを充填して擁壁を形成するものであるために、擁壁形成作業に熟練者を必要とせず、短期間で施工作業を完了することができ、擁壁形成に要する施工費用を低減することができる。
【図面の簡単な説明】
【００１２】
【図１】実施例１に係る擁壁形成用ブロックを示す側面断面図。
【図２】同正面図。
【図３】同側面断面図。
【図４】同部分拡大側面断面図。
【図５】同部分拡大平面図。
【図６】実施例２に係る擁壁形成用ブロックを示す側面断面図。
【図７】基礎ブロックを示す平面図（ａ）、断面図（ｂ）、右側面図（ｃ）。
【図８】立上りブロックを示す平面図（ａ）、正面図（ｂ）、右側面図（ｃ）。
【図９】コーナーブロックを示す平面図（ａ）、正面図（ｂ）、右側面図（ｃ）。
【図１０】立上りブロックとコーナーブロックの接続部を示す拡大平面図。
【発明を実施するための形態】
【００１３】
以下に、本発明に係る擁壁形成用ブロック及び擁壁形成工法の具体的な構成について図面を参照しながら説明する。
【実施例１】
【００１４】
実施例１に係る擁壁形成工法は、図１及び図２に示すように、実施例１に擁壁形成用ブロック１を法面２に設置し、その後、擁壁形成用ブロック１の内部にコンクリートを充填して擁壁を形成する工法である。
【００１５】
この擁壁形成工法で用いる擁壁形成用ブロック１は、コンクリート製の基礎ブロック３とその上部に左右に並べて１段又は複数段に積み上げるコンクリート製の立上りブロック４とで構成している。
【００１６】
まず、基礎ブロック３の具体的な構造について説明すると、基礎ブロック３は、内部に中空部５を形成するとともに、前端部に基台部６を形成し、基台部６の後方上部に立上りブロック４を載置するために所定の角度で前高後低に傾斜させた載置部７を形成し、載置部７に外部から中空部５に通じる貫通状の連通孔８を形成している。
【００１７】
また、基礎ブロック３は、載置部７の後方に裏砕石９を載置するために後方へ向けて張り出した張出部10を形成するとともに、載置部７の後方（張出部10の前方）に立上りブロック４の裏側下端部を支持するための突起状の支持体11を形成している。
【００１８】
さらに、基礎ブロック３は、底部（載置部７の下部）と左右側部に貫通状の開口12,13,14を形成するとともに、張出部10の上部に中空部５から外部に通じる貫通状の空気抜き孔15を形成している。
【００１９】
次に、立上りブロック４の具体的な構造について説明すると、立上りブロック４は、縦長矩形箱型状に形成し、内部に中空部16を形成している。
【００２０】
また、立上りブロック４は、上端部に外部から中空部16に通じる開口17を形成するとともに、下端部に中空部16から基礎ブロック３の連通孔８に通じる開口18を形成している。
【００２１】
擁壁形成用ブロック１は、以上のように構成しており、基礎ブロック３と立上りブロック４とは基礎ブロック３の載置部７において基礎ブロック３の連通孔８と立上りブロック４の下部の開口18とが連通した状態でボルト及びナットからなる締結具19で締結される。
【００２２】
なお、擁壁形成用ブロック１は、上記構造のものに限定されるものではなく、本発明の要旨を逸脱しない範囲で様々な構造のものを用いることができる。
【００２３】
例えば、基礎ブロック３は、図３に示すように、張出部10の内部をコンクリートで充填した構造としてもよく、基台部６の上部に中空部５から外部に通じる貫通状の開口20を形成して、開口20から締結具19の締結作業を行えるようにしてもよく、支持体21を上方まで延設して支持体21で立上りブロック４を自立させるようにしてもよい。
【００２４】
また、立上りブロック４は、表面に窪みを形成して滑面仕上げとしてもよく、また、表面を平坦に形成して環境保全型に仕上げてもよい。
【００２５】
次に、上記基礎ブロック３及び立上りブロック４で構成する擁壁形成用ブロック１を用いた擁壁形成工法について説明する。
【００２６】
擁壁形成工法では、まず、法面２の前方の地盤22の上部に基礎砕石23を敷設し上面が平坦になるように転圧し、その後、基礎砕石23の上部に基礎ブロック３を左右に並べて設置する。
【００２７】
次に、基礎ブロック３の載置部７の上部に立上りブロック４を載置する。その際に、基礎ブロック３の上部に形成した支持体11に立上りブロック４の裏側下端部を当接させることで、基礎ブロック３の載置部７の所定位置に立上りブロック４を容易に載置することができる。
【００２８】
このように、基礎ブロック３に形成した支持体11は、基礎ブロック３の上部に立上りブロック４を載置する際のガイドとして利用でき、基礎ブロック３の上部に立上りブロック４を載置した後では立上りブロック４の裏側下端部を支持する機能を有している。
【００２９】
基礎ブロック３の載置部７の所定位置に立上りブロック４が載置されると、基礎ブロック３の連通孔８と立上りブロック４の下部の開口18とが連通した状態となり、この状態で締結具19を用いて基礎ブロック３と立上りブロック４とを締結する。また、隣接する立上りブロック４を連結具24で連結する。
【００３０】
次に、法面２の前面と基礎ブロック３の張出部10の上面と立上りブロック４の後面とで形成される空間に裏砕石９を投入し、転圧する。なお、左右端部には小口止めブロックを設置しておく。
【００３１】
このように、基礎ブロック３の後方に張出した張出部10を形成し、張出部10の上部に裏砕石９を載置するようにしているため、基礎ブロック３を安定させることができる。
【００３２】
次に、立上りブロック４の上部の開口17から中空部16に向けてコンクリートを打設する。これにより、コンクリートは、立上りブロック４の上部の開口17から中空部16に投入され、立上りブロック４の下部の開口18及び基礎ブロック３の連通孔８を通過して基礎ブロック３の中空部５に投入され、最終的に基礎ブロック３の中空部５と立上りブロック４の中空部16に充填される。なお、このときに、基礎ブロック３の上面に空気抜き孔15を形成しているために、内部の空気が空気抜き孔15から良好に排出される。
【００３３】
そして、基礎ブロック３の中空部５と立上りブロック４の中空部16に充填したコンクリートが固まるまで養生することで、法面２の前面に擁壁を形成することができる。
【００３４】
なお、上記擁壁形成工法において、地盤22が上方又は下方に傾斜している場合には、基礎ブロック３を傾斜させた状態で設置するとともに、図４に示すように、ボルト及びナットのほかにボルトに螺着する内ネジ付鞘桿25を介設した締結具26を使用して傾斜する基礎ブロック３の上部に立上りブロック４を垂直に載置する。この場合には、基礎ブロック３と立上りブロック４との間に形成される間隙を型枠27で被覆する。
【００３５】
また、上記擁壁形成工法において、法面２が前方又は後方に湾曲している場合には、隣接する立上りブロック４の間に間隙が形成されるが、図５に示すように、隣設する立上りブロック４の間にＴ字状の冶具28を挿入して90度回転させ、冶具28の先端に止め具29を螺着し、止め具29に設けた楔30で型枠31を立上りブロック４に向けて付勢して型枠31を固定し、その後、隣接する立上りブロック４と型枠31との間にコンクリートを打設し、コンクリートの固化後に止め具29を外して型枠31を取外すようにすればよい。
【００３６】
以上に説明したように、上記擁壁形成工法では、中空状の基礎ブロック３とその上部に積み上げる中空状の立上りブロック４とからなる擁壁形成用ブロック１を法面２に設置した後に、擁壁形成用ブロック１の内部にコンクリートを充填して擁壁を形成するものであるために、擁壁形成作業に熟練者を必要とせず、短期間で施工作業を完了することができ、擁壁形成に要する施工費用を低減することができる。
【実施例２】
【００３７】
実施例２に係る擁壁形成工法は、図６に示すように、実施例２に係る擁壁形成用ブロック32を法面33に設置し、その後、擁壁形成用ブロック32の内部にコンクリートを充填して擁壁を形成する工法である。
【００３８】
この擁壁形成工法で用いる擁壁形成用ブロック32は、コンクリート製の基礎ブロック34とその上部に左右に並べて１段又は複数段に積み上げるコンクリート製の立上りブロック35とで構成している。
【００３９】
まず、基礎ブロック34の具体的な構造について説明すると、基礎ブロック34は、図７に示すように、内部に中空部36を形成するとともに、前端部に基台部37を形成し、基台部37の後方上部に立上りブロック35を載置するために所定の角度で前高後低に傾斜させた載置部38を形成し、載置部38に外部から中空部36に通じる左右一対の貫通状の連通孔39を形成している。
【００４０】
また、基礎ブロック34は、載置部38の後方に裏砕石40を載置するために後方へ向けて張り出した張出部41を形成するとともに、載置部38の後方（張出部41）に立上りブロック35の裏側下端部を支持するための突起状の支持体42を形成している。
【００４１】
また、基礎ブロック34は、底部（載置部38の下部）と左右側部に貫通状の開口43,44,45を形成するとともに、軽量化のために張出部41に貫通状の貫通孔46を形成している。
【００４２】
さらに、基礎ブロック34は、各連通孔39の下方位置にアンカープラグ47を取付け、図６に示すように、基礎ブロック34と立上りブロック35とを連結板48とボルト49で連結できるようにしている。
【００４３】
次に、立上りブロック35の具体的な構造について説明すると、立上りブロック35は、図８に示すように、縦長矩形箱型状に形成し、内部に中空部50を形成している。
【００４４】
また、立上りブロック35は、上端部に外部から中空部50に通じる開口51を形成するとともに、下端部に中空部50から基礎ブロック34の連通孔39に通じる開口52を形成している。
【００４５】
また、立上りブロック35は、上端後部に位置合わせ用のガイド凸部53を形成するとともに、下端後部にガイド凸部53と係合するガイド凹部54を形成して、上下の立上りブロック35の位置を容易に合わせられるようにしている。
【００４６】
また、立上りブロック35は、上端左右端部に連結用のピン挿入溝55を形成して左右の立上りブロック35を容易に連結できるようにするとともに、下端左右端部に切欠部56を形成して左右への移動を容易なものとしている。
【００４７】
また、立上りブロック35は、開口51,52の内側及び外側にアンカープラグ57を取付けて、基礎ブロック34と立上りブロック35や上下の立上りブロック35を連結できるようにしている。
【００４８】
さらに、立上りブロック35は、左右側壁や上端面の所要位置に断面矩形状の挿入孔58を形成している。
【００４９】
擁壁形成用ブロック32は、以上のように構成しており、基礎ブロック34と立上りブロック35とは基礎ブロック34の載置部38において基礎ブロック34の連通孔39と立上りブロック35の下部の開口52とが連通した状態で積み上げられる。
【００５０】
なお、擁壁形成用ブロック32は、上記構造のものに限定されるものではなく、本発明の要旨を逸脱しない範囲で様々な構造のものを用いることができる。
【００５１】
例えば、上記構造の擁壁形成用ブロック32では、１個の基礎ブロック34の上部に複数個（ここでは２個）の立上りブロック35を載置するようにしているが、１個の基礎ブロック34の上部に２個分の立上りブロック35を一体形成したものを載置するようにしてもよい。
【００５２】
また、法面33が前方又は後方に湾曲している部分などでは、図９に示すコーナーブロック59を用いるようにしてもよい。
【００５３】
このコーナーブロック59は、立上りブロック35の左右側壁を除去するとともに前後側壁同士を中心部で連結し、後壁の左右幅を前壁の左右幅よりも短く形成している。
【００５４】
このコーナーブロック59の具体的な構造について説明すると、コーナーブロック59は、図９に示すように、矩形板状の前壁60と後壁61とを中心部で連結体62で連結し、内部に中空部63を形成している。
【００５５】
また、コーナーブロック59は、上端部に外部から中空部63に通じる開口64を形成するとともに、下端部に中空部63から基礎ブロック34の連通孔39に通じる開口65を形成している。
【００５６】
また、コーナーブロック59は、上端後部に位置合わせ用のガイド凸部66を形成するとともに、下端後部にガイド凸部66と係合するガイド凹部67を形成して、上下のコーナーブロック59の位置を容易に合わせられるようにしている。
【００５７】
また、コーナーブロック59は、開口64,65の内側及び外側にアンカープラグ68を取付けて、基礎ブロック34とコーナーブロック59や上下のコーナーブロック59を連結できるようにしている。
【００５８】
さらに、コーナーブロック59は、左右側壁や上端面の所要位置に断面矩形状の挿入孔69を形成している。
【００５９】
次に、上記基礎ブロック34及び立上りブロック35で構成する擁壁形成用ブロック32を用いた擁壁形成工法について説明する。
【００６０】
擁壁形成工法では、まず、法面33の前方の地盤70の上部に基礎砕石71を敷設し上面が平坦になるように転圧し、その後、基礎砕石71の上部に基礎ブロック34を左右に並べて設置する。
【００６１】
次に、基礎ブロック34の載置部38の上部に立上りブロック35を載置する。その際に、基礎ブロック34の上部に形成した支持体42に立上りブロック35の裏側下端部を当接させることで、基礎ブロック34の載置部38の所定位置に立上りブロック35を容易に載置することができる。
【００６２】
このように、基礎ブロック34に形成した支持体42は、基礎ブロック34の上部に立上りブロック35を載置する際のガイドとして利用でき、基礎ブロック34の上部に立上りブロック35を載置した後では立上りブロック35の裏側下端部を支持する機能を有している。
【００６３】
基礎ブロック34の載置部38の所定位置に立上りブロック35が載置されると、基礎ブロック34の連通孔39と立上りブロック35の下部の開口52とが連通した状態となり、この状態で連結板48を用いて基礎ブロック34と立上りブロック35とを連結する。
【００６４】
次に、法面33の前面と基礎ブロック34の張出部41の上面と立上りブロック35の後面とで形成される空間に裏砕石40を投入し、転圧する。なお、左右端部には小口止めブロックを設置しておく。
【００６５】
このように、基礎ブロック34の後方に張出した張出部41を形成し、張出部41の上部に裏砕石40を載置するようにしているため、基礎ブロック34を安定させることができる。
【００６６】
次に、立上りブロック35の上部の開口51から中空部50に向けてコンクリートを打設する。これにより、コンクリートは、立上りブロック35の上部の開口51から中空部50に投入され、立上りブロック35の下部の開口52及び基礎ブロック34の連通孔39を通過して基礎ブロック34の中空部36に投入され、最終的に基礎ブロック34の中空部36と立上りブロック35の中空部50に充填される。
【００６７】
そして、基礎ブロック34の中空部36と立上りブロック35の中空部50に充填したコンクリートが固まるまで養生することで、法面33の前面に擁壁を形成することができる。
【００６８】
また、上記擁壁形成工法において、法面33が前方又は後方に湾曲している場合には、図10に示すように、立上りブロック35の隣にコーナーブロック59を配置し、立上りブロック35とコーナーブロック59との間の間隙を型枠72で塞ぐようにしている。
【００６９】
ここで、型枠72は、屈曲可能な冶具73を用いて固定している。この冶具73は、挿入孔58,69に挿入する断面矩形状のＬ字型の基端部74に連結部75を回動自在に装着し、連結部75にボルト部76を締結しており、ボルト部76を型枠72に挿通させてナット77で締結することで型枠72を固定するようにしている。
【００７０】
以上に説明したように、上記擁壁形成工法では、中空状の基礎ブロック34とその上部に積み上げる中空状の立上りブロック35とからなる擁壁形成用ブロック32を法面33に設置した後に、擁壁形成用ブロック32の内部にコンクリートを充填して擁壁を形成するものであるために、擁壁形成作業に熟練者を必要とせず、短期間で施工作業を完了することができ、擁壁形成に要する施工費用を低減することができる。
【符号の説明】
【００７１】
１  擁壁形成用ブロック                  ２  法面
３  基礎ブロック                        ４  立上りブロック
５  中空部                              ６  基台部
７  載置部                              ８  連通孔
９  裏砕石                              10  張出部
11  支持体                              12,13,14  開口
15  空気抜き孔                          16  中空部
17  開口                                18  開口
19  締結具                              20  開口
21  支持体                              22  地盤
23  基礎砕石                            24  連結具
25  内ネジ付鞘桿                        26  締結具
27  型枠                                28  冶具
29  止め具                              30  楔
31  型枠                                32  擁壁形成用ブロック
33  法面                                34  基礎ブロック
35  立上りブロック                      36  中空部
37  基台部                              38  載置部
39  連通孔                              40  裏砕石
41  張出部                              42  支持体
43,44,45  開口                          46  貫通孔
47  アンカープラグ                      48  連結板
49  ボルト                              50  中空部
51  開口                                52  開口
53  ガイド凸部                          54  ガイド凹部
55  ピン挿入溝                          56  切欠部
57  アンカープラグ                      58  挿入孔
59  コーナーブロック                    60  前壁
61  後壁                                62  連結体
63  中空部                              64  開口
65  開口                                66  ガイド凸部
67  ガイド凹部                          68  アンカープラグ
69  挿入孔                              70  地盤
71  基礎砕石                            72  型枠
73  冶具                                74  基端部
75  連結部                              76  ボルト部
77  ナット
【図１】
2010059778.tif 000003
【図２】
2010059778.tif 000004
【図３】
2010059778.tif 000005
【図４】
2010059778.tif 000006
【図５】
2010059778.tif 000007
【図６】
2010059778.tif 000008
【図７】
2010059778.tif 000009
【図８】
2010059778.tif 000010
【図９】
2010059778.tif 000011
【図１０】
2010059778.tif 000012
【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
基礎ブロックとその上部に積み上げる立上りブロックとからなる擁壁形成用ブロックであって、
基礎ブロックは、内部にコンクリートを充填するための中空部を形成するとともに、上部に立上りブロックを載置するための前高後低に傾斜させた載置部を形成し、載置部に中空部へ通じる連通孔を形成し、載置部の後方に裏砕石を載置するために張り出した張出部を形成し、張出部の前方に立上りブロックの裏側下端部を支持するとともに立上りブロックを自立させるための突起状の支持体を形成し、
立上りブロックは、内部にコンクリートを充填するための中空部を形成するとともに、上部に中空部へ通じる開口を形成し、下部に基礎ブロックの連通孔に通じる開口を形成したことを特徴とする擁壁形成用ブロック。
【請求項２】
基礎ブロックとその上部に積み上げる立上りブロックとからなる擁壁形成用ブロックを用いた擁壁形成工法であって、
基礎ブロックは、内部にコンクリートを充填するための中空部を形成するとともに、上部に立上りブロックを載置するための前高後低に傾斜させた載置部を形成し、載置部に中空部へ通じる連通孔を形成し、載置部の後方に裏砕石を載置するために張り出した張出部を形成し、張出部の前方に立上りブロックの裏側下端部を支持するとともに立上りブロックを自立させるための突起状の支持体を形成しており、
立上りブロックは、内部にコンクリートを充填するための中空部を形成するとともに、上部に中空部へ通じる開口を形成し、下部に基礎ブロックの連通孔に通じる開口を形成しており、
基礎ブロックの上部に立上りブロックを積み上げた後に、立上りブロックの上部の開口からコンクリートを投入し、基礎ブロック及び立上りブロックの中空部にコンクリートを充填して擁壁を形成することを特徴とする擁壁形成工法。
【手続補正２】
【補正対象書類名】明細書
【補正対象項目名】０００６
【補正方法】変更
【補正の内容】
【０００６】
すなわち、請求項１に係る本発明では、基礎ブロックとその上部に積み上げる立上りブロックとからなる擁壁形成用ブロックであって、基礎ブロックは、内部にコンクリートを充填するための中空部を形成するとともに、上部に立上りブロックを載置するための前高後低に傾斜させた載置部を形成し、載置部に中空部へ通じる連通孔を形成し、載置部の後方に裏砕石を載置するために張り出した張出部を形成し、張出部の前方に立上りブロックの裏側下端部を支持するとともに立上りブロックを自立させるための突起状の支持体を形成し、立上りブロックは、内部にコンクリートを充填するための中空部を形成するとともに、上部に中空部へ通じる開口を形成し、下部に基礎ブロックの連通孔に通じる開口を形成することにした。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
また、請求項２に係る本発明では、基礎ブロックとその上部に積み上げる立上りブロックとからなる擁壁形成用ブロックを用いた擁壁形成工法であって、基礎ブロックは、内部にコンクリートを充填するための中空部を形成するとともに、上部に立上りブロックを載置するための前高後低に傾斜させた載置部を形成し、載置部に中空部へ通じる連通孔を形成し、載置部の後方に裏砕石を載置するために張り出した張出部を形成し、張出部の前方に立上りブロックの裏側下端部を支持するとともに立上りブロックを自立させるための突起状の支持体を形成しており、立上りブロックは、内部にコンクリートを充填するための中空部を形成するとともに、上部に中空部へ通じる開口を形成し、下部に基礎ブロックの連通孔に通じる開口を形成しており、基礎ブロックの上部に立上りブロックを積み上げた後に、立上りブロックの上部の開口からコンクリートを投入し、基礎ブロック及び立上りブロックの中空部にコンクリートを充填して擁壁を形成することにした。
【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
基礎ブロックとその上部に積み上げる立上りブロックとからなる擁壁形成用ブロックであって、
基礎ブロックは、内部にコンクリートを充填するための中空部を形成するとともに、上部に立上りブロックを載置するための前高後低に傾斜させた載置部を形成し、載置部に中空部へ通じる連通孔を形成し、載置部の後方に裏砕石を載置するために張り出した張出部を形成し、張出部の前方に立上りブロックの裏側下端部を支持するとともに立上りブロックを自立させるための突起状の支持体を形成するとともに、張出部に貫通孔を形成し、
立上りブロックは、張出部に裏砕石を載置した後に内部にコンクリートを充填するための中空部を形成するとともに、上部に中空部へ通じる開口を形成し、下部に基礎ブロックの連通孔に通じる開口を形成したことを特徴とする擁壁形成用ブロック。
【請求項２】
基礎ブロックとその上部に積み上げる立上りブロックとからなる擁壁形成用ブロックを用いた擁壁形成工法であって、
基礎ブロックは、内部にコンクリートを充填するための中空部を形成するとともに、上部に立上りブロックを載置するための前高後低に傾斜させた載置部を形成し、載置部に中空部へ通じる連通孔を形成し、載置部の後方に裏砕石を載置するために張り出した張出部を形成し、張出部の前方に立上りブロックの裏側下端部を支持するとともに立上りブロックを自立させるための突起状の支持体を形成するとともに、張出部に貫通孔を形成しており、
立上りブロックは、内部にコンクリートを充填するための中空部を形成するとともに、上部に中空部へ通じる開口を形成し、下部に基礎ブロックの連通孔に通じる開口を形成しており、
基礎ブロックを設置し、基礎ブロックの張出部に裏砕石を載置し、その後、基礎ブロックの上部に立上りブロックを積み上げた後に、立上りブロックの上部の開口からコンクリートを投入し、基礎ブロック及び立上りブロックの中空部にコンクリートを充填して擁壁を形成することを特徴とする擁壁形成工法。
【手続補正２】
【補正対象書類名】明細書
【補正対象項目名】０００６
【補正方法】変更
【補正の内容】
【０００６】
すなわち、請求項１に係る本発明では、基礎ブロックとその上部に積み上げる立上りブロックとからなる擁壁形成用ブロックであって、基礎ブロックは、内部にコンクリートを充填するための中空部を形成するとともに、上部に立上りブロックを載置するための前高後低に傾斜させた載置部を形成し、載置部に中空部へ通じる連通孔を形成し、載置部の後方に裏砕石を載置するために張り出した張出部を形成し、張出部の前方に立上りブロックの裏側下端部を支持するとともに立上りブロックを自立させるための突起状の支持体を形成するとともに、張出部に貫通孔を形成し、立上りブロックは、張出部に裏砕石を載置した後に内部にコンクリートを充填するための中空部を形成するとともに、上部に中空部へ通じる開口を形成し、下部に基礎ブロックの連通孔に通じる開口を形成することにした。
【手続補正３】
【補正対象書類名】明細書
【補正対象項目名】０００９
【補正方法】変更
【補正の内容】
【０００９】
また、請求項２に係る本発明では、基礎ブロックとその上部に積み上げる立上りブロックとからなる擁壁形成用ブロックを用いた擁壁形成工法であって、基礎ブロックは、内部にコンクリートを充填するための中空部を形成するとともに、上部に立上りブロックを載置するための前高後低に傾斜させた載置部を形成し、載置部に中空部へ通じる連通孔を形成し、載置部の後方に裏砕石を載置するために張り出した張出部を形成し、張出部の前方に立上りブロックの裏側下端部を支持するとともに立上りブロックを自立させるための突起状の支持体を形成するとともに、張出部に貫通孔を形成しており、
立上りブロックは、内部にコンクリートを充填するための中空部を形成するとともに、上部に中空部へ通じる開口を形成し、下部に基礎ブロックの連通孔に通じる開口を形成しており、基礎ブロックを設置し、基礎ブロックの張出部に裏砕石を載置し、その後、基礎ブロックの上部に立上りブロックを積み上げた後に、立上りブロックの上部の開口からコンクリートを投入し、基礎ブロック及び立上りブロックの中空部にコンクリートを充填して擁壁を形成することにした。